(57)【特許請求の範囲】
【請求項１】
無線ネットワークを介して移動体局への送信を確立する方法であって、前記無線ネットワークは移動体局に無線サービス要求条件の表示を含むページングメッセージを提供し、前記移動体局は、前記無線ネットワークへのアクセスをなすときに、前記表示を使用し、前記移動体局は、前記表示を使用して、前記無線サービス要求条件を満たすことができるセルのみを測定し、前記送信において使用するために当該セルのうちの１つを選択する方法。
【請求項２】
前記移動体局が、アクセスフェーズにおいて、前記無線ネットワークに、前記無線サービス要求条件を通知する
ことを特徴とする請求項１記載の方法。
【請求項３】
前記無線サービス要求条件は、ページングメッセージとともにまたはページングメッセージの一部として直接的に送信される
ことを特徴とする請求項１または２記載の方法。
【請求項４】
前記無線サービス要求条件を満たすために必要とされるセルの特性が、直接的に送信される
ことを特徴とする請求項３記載の方法。
【請求項５】
セルの必要とされる帯域幅が送信される
ことを特徴とする請求項４記載の方法。
【請求項６】
前記無線サービス要求条件が、ページングメッセージとともにまたはページングメッセージの一部として間接的に送信される
ことを特徴とする請求項１または２記載の方法。
【請求項７】
値がページングメッセージとともにまたはページングメッセージの一部として送られ、これらの値は、アクセスチャネルにおいて前記移動体局が前記ネットワークに戻すべき値を示す
ことを特徴とする請求項６記載の方法。
【請求項８】
前記アクセスチャネルはランダムアクセスチャネルである
ことを特徴とする請求項７記載の方法。
【発明の詳細な説明】
【０００１】
【発明の属する技術分野】
本発明は、シグナリング無線サービス要求条件に関する。
【０００２】
【従来の技術】
セルラ無線通信システム（即ち、移動体電話システム）において、送信されることを必要とする多くの異なるタイプのデータまたは情報があり、これらの各々は、システムにより異なる要求条件を出す。例えば、単純な音声メッセージは、ビデオ呼びよりも大幅に少ない資源を必要とする。また、システムが特定の呼びに割り当てるべきセルのサイズへの影響がある。
【０００３】
移動体が発する呼び、即ち、移動体装置において発せられた呼びに対して、移動体装置は、どの種類の呼び、例えばファックス呼び、ビデオ呼びなどがなされているかどうかをシステムに容易に知らせることができる。移動体装置は、それが呼びを開始するとき、その呼びのサービス要求条件を示すことができ、そして、ネットワークは、現在利用可能でありかつその必要とされるサービス要求条件をサポートするように最適に適合するセルを決定することができる。サービス要求条件は、例えば、必要なデータレートを含むことができる。
【０００４】
現在、このタイプの“service dependent directed retry”は、移動体発信シナリオについてのみ動作することができる。移動体着信シナリオについては不可能である。したがって、移動体着信シナリオは、一般に最適でない方法で、アクセスおよび無線資源割り当てを使用し、使用されるべき資源を確立するためにかなり長い時間を必要とする。
【０００５】
【発明が解決しようとする課題】
本発明は、service dependent directed retry のための改良された移動体着信シナリオを提供することを目的とする。
【０００６】
【課題を解決するための手段】
本発明によれば、無線ネットワークを介する移動体装置への送信を確立する方法であって、無線ネットワークが、移動体装置にページングメッセージを提供するものである。ページングメッセージとともに提供される無線サービス要求条件を示す情報を提供し、無線ネットワークにアクセスをなすときに、移動体装置が受信された情報を使用することができるようにする方法が提供される。
【０００７】
好ましくは、移動体装置は、無線ネットワークにアクセスフェーズにおける無線サービス要求条件を通知する。無線サービス要求条件は、直接的または間接的に送信され得る。結果として、無線ネットワークは、無線サービス要求条件を満たすことが知られているセルのみおよび使用のためにこれらのうちの１つの選択について調整されることが必要なこれらのセルのみを選ぶことができる。
【０００８】
【発明の実施の形態】
図１において、移動体電話通信システムは、１つまたは２つ以上の移動体局（ＭＳ）１、基地局サブシステム（ＢＳＳ）２および交換機システムまたは移動体交換機センター（ＭＳＣ）３を含む。移動体着信呼びは、ＭＳＣによりまず受信され、そして、これはＭＳＣ，ＢＳＳおよびＭＳの間の通信を開始し、システムに十分な資源を最終的に割当て、通信を適切に開始することを許容する。これら全ては、移動体局の保持者が彼が呼ばれていることを気づく前にさえ、かなりの時間を必要とする。
【０００９】
１つの例が図１に示されている。システム外部から（例えば、ランドラインから）発信された到来呼び４は、この場合、ＩＳＤＮ呼びであり、通常の音声呼びよりも大きい量の所定量の資源を必要とする。ＭＳＣは、ページングメッセージ５をＢＳＳに送り、ＢＳＳはページングメッセージ６をＭＳに送る。ページングメッセージは、それに資源が割り当てられることを待っている到来呼びがあることを移動体局ＭＳに単に通知する。そして、ＭＳは、ランダムアクセスチャネル（ＲＡＣＨ）７で応答し、通信シーケンスは、ＭＳとＢＳＳとの間で行われる。
【００１０】
この間のある時点８において、ＭＳは、利用可能なセルラ無線通信システム内の全ての利用可能なセルの測定値を得て、この段階において、システムは、送信されるべき呼びのタイプおよび性質に当然依存する無線サービス要求、即ち要求されるセルに関連するセルのサイズまたは他のパラメータに気づいていないが、このデータをＢＳＳに送る。認証／暗号化ステップ９が続き、これが行われた後、呼びは最終的にセットアップされて、資源が１０において割り当てられる。例えば、メッセージ送信に適した２ＭＢ帯域幅を有するセルが割り当てられる。
【００１１】
しかし、このプロセスの間に数秒間が経過することがあり、その間に、システムは全ての可能性のあるセルの測定値を探さなければならず、そのほとんどは、いかなる場合にも特定の呼びを処理をするための資源を多分有しない。これは、時間および少なからずバッテリライフの意味において、無駄でありかつ非効率的である。認証ステップの前に、ＢＳＳは、測定する全ての可能性のあるセルの詳細を移動体端末に提供しなければならないが、この段階において無線サービス要求条件の表示を有しないので、全ての可能性のある利用可能なセルの詳細を提供しなければならない。
【００１２】
図２は、本発明を具現化するページングおよび開始ルーチンの一部を示す。図２の場合において、到来呼び１４が交換ネットワークＭＳＣに入ってくるとき、ページング信号は、基地局サブステーションＢＳＳに再び送られる。しかし、初期ページング信号は、「無線サービス要求条件」の表示も含み、これは、この例において、２ＭＢの帯域幅を有するセルが必要とされていることの表示として示される。そして、ＢＳＳは、この情報をページングメッセージ１５において移動体局ＭＳに渡す。
【００１３】
そして、移動体局は、どの無線サービス要求条件が移動体着信呼びに必要とされるているかをＢＳＳに示す特定の値を使用してアクセスを実行する。ＢＳＳは、アクセス値からまたは移動体局シグナリングにより後に送られる情報から、実行すべき内部手順および必要とされるシステム情報のタイプを正確に決定することができる。即ち、ＢＳＳは、セル測定段階において、特定の無線サービス要求条件を取り扱うことができる利用可能なセルまたは必要とされるデータのタイプについての特定の情報を集めるために、移動体局に通知することができ、従来のように全ての利用可能なセルではなく、利用可能なセルのより小さなサブセットのみを見ることを移動体局に通知することができる。
【００１４】
図３は、ＢＳＳがページング手順のコンテキストを維持する代替的な実施形態を示す。この場合において、ＢＳＳは、ＭＳによるアクセスに使用されるべき値（または部分の値）をＭＳに送る。即ち、実際の無線サービス要求を送る代わりに、適切な値を移動体局に送る。したがって、無線サービス要求条件は、「間接的に」送られる。そして、ＭＳは、ＢＳＳに適切な値を送り、これを復号化することにより、ＢＳＳは、推論により無線サービス要求条件を知ることができる。
【００１５】
したがって、本発明の実施形態において、初期ページング信号は、直接的または間接的に、無線サービス要求条件の表示を提供し、これにより移動体着信呼びを最適化することができる。
【００１６】
【発明の効果】
以上述べたように、本発明は、service dependent directed retry のための改良された移動体着信シナリオを提供する。
【図面の簡単な説明】
【図１】従来提案されていたページングおよび呼びセットアップ構成を示す図。
【図２】本発明の第１の実施形態を示す図。
【図３】本発明の第２の実施形態を示す図。
【符号の説明】
１     移動体局
２     基地局サブシステム
３     移動体交換機センター
１４   到来呼び
１５   ページング
【図１】
0003746414.tif 000002
【図２】
0003746414.tif 000003
【図３】
0003746414.tif 000004